(57)【要約】【目的】半径の大きさに関わらず半径を測定できるようにする。【構成】横軸１００　に固定された第１の外側爪部１１０，横軸１００　に沿ってスライド可能な第２の外側爪部１２０　、第１，第２の外側爪部１１０，１２０　間に位置し、横軸１００　に直交する縦軸２００　に沿ってスライド可能な内側爪部２１０　、縦軸２００　と第１，第２の外側爪部１１０，１２０　間を連結し、内側爪部２１０　を常に第１，第２の外側爪部１１０，１２０　の中央に位置させるパンタグラフ機構３００　がある。半径Ｒの円弧Ｋに第１，第２の外側爪部１１０，１２０　を当接させ、内側爪部２１０　を円弧Ｋに当接させた場合、第１の外側爪部１１０が円弧Ｋに接した点Ａと第２の外側爪部１２０　が円弧Ｋに接した点Ｂの間を結ぶ第１の線分Ｌ１の長さ２ａ、内側爪部２１０　が接した点Ｃを通過する半径Ｒと第１の線分Ｌ１の交点Ｍと内側爪部２１０　が円弧Ｋに接した点Ｃの間を結ぶ第２の線分Ｌ２の長さｂ，半径Ｒ間で成立する関係からＲ＝（ａ２＋ｂ２）／２ｂを求める。【選択図】　　　図４
2004138388.tif 000002
【特許請求の範囲】
【請求項１】
横軸に固定された第１の外側爪部と、前記横軸に沿ってスライド可能な第２の外側爪部と、前記第１の外側爪部と第２の外側爪部との間に位置し、前記横軸に対して直交する縦軸に沿ってスライド可能な内側爪部と、前記縦軸と第１の外側爪部及び第２の外側爪部との間を連結し、内側爪部を常に第１の外側爪部と第２の外側爪部との中央に位置させるパンタグラフ機構とを具備しており、半径を測定すべき円弧に前記第１の外側爪部及び第２の外側爪部を当接させた状態で、内側爪部を前記円弧に当接させた場合、前記第１の外側爪部が円弧に接した点と第２の外側爪部が円弧に接した点との間を結ぶ第１の線分の長さ２ａと、内側爪部が接した点を通過する半径と前記第１の線分との交点と内側爪部が円弧に接した点との間を結ぶ第２の線分の長さｂと、前記円弧の半径Ｒとの間では、Ｒ＝（ａ２　＋ｂ２　）／２ｂの関係が成立することから、円弧の半径Ｒを求めることを特徴とする半径測定具。
【請求項２】
前記第１の外側爪部、前記第２の外側爪部及び前記内側爪部の先端はそれぞれ先鋭化されていることを特徴とする請求項１記載の半径測定具。
【請求項３】
前記第１の線分の長さ２ａを求める第１のセンサと、第２の線分の長さｂとを求める第２のセンサと、前記第１のセンサ及び第２のセンサの出力結果から、前記Ｒ＝（ａ２　＋ｂ２　）／２ｂの関係に従って半径Ｒを演算する演算部と、この演算部の演算結果を表示する表示部とを具備したことを特徴とする請求項１又は２記載の半径測定具。
【請求項４】
前記演算部は、２Ｒ＝（ａ２　＋ｂ２　）／ｂの演算をも行うことができることを特徴とする請求項３記載の半径測定具。
【請求項５】
前記第１の外側爪部、第２の外側爪部及び内側爪部には、パイプ等の内径を測定する際のアタッチメントが着脱可能になっていることを特徴とする請求項１、２、３又は４記載の半径測定具。
【発明の詳細な説明】
【０００１】
【発明の属する技術分野】
本発明は、半径測定具に関する。
【０００２】
【従来の技術】
半径測定具としては、例えば、特開平６−２９４６０１号公報（特許文献１）や特開平１０−２６５０２号公報（特許文献２）がある。特開平６−２９４６０１号公報に記載されたものは、部材の曲線部の半径を測定するためのものであって、本体と、所定の距離をおいて互いに離隔した前記本体に設けられた一対の固定ピンと、前記両固定ピンの各先端同士を結ぶ線の２等分線上を変位し得るように前記本体に指示された可動ピンとを備えている。
【０００３】
また、特開平１０−２６５０２号公報に記載されたものは、Ｔ字形の本体の両端に先端を鋭角にした等長の突起を設けて、本体の中心軸に沿ってスライド用の溝を設け、先端を鋭角にした滑尺を挿入し、更に滑尺に目盛を刻んだものである。
【０００４】
さらに、物品の半径ではないが、特開２００１−３１７９０７号公報（特許文献３）には、電力ケーブル等の可撓性を有するものの曲率半径を測定する装置が記載されている。
【０００５】
【特許文献１】
特開平６−２９４６０１号公報（第２〜３頁、図３）
【特許文献２】
特開平１０−２６５０２号公報（第２頁、図１）
【特許文献３】
特開２００１−３１７９０７号公報（第３〜４頁、図１）
【０００６】
【発明が解決しようとする課題】
しかしながら、特許文献１や特許文献２に記載されたものは、両端の固定ピンや突起が固定的であるため、ある程度の大きさの半径しか測定することができないという問題点があった。また、特許文献３に記載されたものでは、電力ケーブル等の可撓性を有するものを対象としているので、パイプの外径等を測定することができないという問題点があった。
【０００７】
本発明は上記事情に鑑みて創案されたものであって、半径の大きさに左右されることなく半径を測定することができる半径測定具を提供することを目的としている。
【０００８】
【課題を解決するための手段】
本発明に係る半径測定具は、横軸に固定された第１の外側爪部と、前記横軸に沿ってスライド可能な第２の外側爪部と、前記第１の外側爪部と第２の外側爪部との間に位置し、前記横軸に対して直交する縦軸に沿ってスライド可能な内側爪部と、前記縦軸と第１の外側爪部及び第２の外側爪部との間を連結し、内側爪部を常に第１の外側爪部と第２の外側爪部との中央に位置させるパンタグラフ機構とを備えており、半径を測定すべき円弧に前記第１の外側爪部及び第２の外側爪部を当接させた状態で、内側爪部を前記円弧に当接させた場合、前記第１の外側爪部が円弧に接した点と第２の外側爪部が円弧に接した点との間を結ぶ第１の線分の長さ２ａと、内側爪部が接した点を通過する半径と前記第１の線分との交点と内側爪部が円弧に接した点との間を結ぶ第２の線分の長さｂと、前記円弧の半径Ｒとの間では、Ｒ＝（ａ２　＋ｂ２　）／２ｂの関係が成立することから、円弧の半径Ｒを求める。
【０００９】
【発明の実施の形態】
図１は本発明の第１の実施の形態に係る半径測定具の概略的正面図、図２は本発明の第１の実施の形態に係る半径測定具の概略的背面図、図３は本発明の第１の実施の形態に係る半径測定具による円弧の半径の計測原理の説明図、図４は本発明の第１の実施の形態に係る半径測定具の使用状態を示す概略的正面図、図５は本発明の第２の実施の形態に係る半径測定具の概略的正面図、図６は本発明の実施の第２の形態に係る半径測定具の電気的構成を示す概略的ブロック図、図７は本発明の第２の実施の形態に係る半径測定具にアタッチメントを取り付けた状態の概略的斜視図、図８は本発明の第２の実施の形態に係る半径測定具に他のアタッチメントを取り付けた状態の概略的斜視図、図９は本発明の第２の実施の形態に係る半径測定具にさらに他のアタッチメントを取り付けた状態の概略的斜視図、図１０は本発明の第２の実施の形態に係る半径測定具にさらに他のアタッチメントを取り付けた場合の使用方法を示す概略的斜視図である。
【００１０】
本発明の第１の実施の形態に係る半径測定具は、横軸１００に固定された第１の外側爪部１１０と、前記横軸１００に沿ってスライド可能な第２の外側爪部１２０と、前記第１の外側爪部１１０と第２の外側爪部１２０との間に位置し、前記横軸１００に対して直交する縦軸２００に沿ってスライド可能な内側爪部２１０と、前記縦軸２００と第１の外側爪部１１０及び第２の外側爪部１２０との間を連結し、内側爪部２１０を常に第１の外側爪部１１０と第２の外側爪部１２０との中央に位置させるパンタグラフ機構３００とを備えており、半径Ｒの測定すべき円弧Ｋに前記第１の外側爪部１１０及び第２の外側爪部１２０を当接させた状態で、内側爪部２１０を前記円弧Ｋに当接させた場合、前記第１の外側爪部１１０が円弧Ｋに接した点Ａと第２の外側爪部１２０が円弧Ｋに接した点Ｂとの間を結ぶ第１の線分Ｌ１の長さ２ａと、内側爪部２１０が接した点Ｃを通過する半径Ｒと前記第１の線分Ｌ１の交点Ｍと内側爪部２１０が円弧Ｋに接した点Ｃとの間を結ぶ第２の線分Ｌ２の長さｂと、前記円弧Ｋの半径Ｒとの間では、Ｒ＝（ａ２　＋ｂ２　）／２ｂの関係が成立することから、円弧の半径Ｒを求めるようになっている。
【００１１】
前記横軸１００は、一端に第１の爪部１１０が形成されている。この第１の爪部１１０は、後述する横軸２００に略直交するように横軸１００から突出形成されたもので、その先端は先鋭化されている。
【００１２】
前記縦軸２００は、横軸１００に直交したものであって、横軸１００に固定的に取り付けられている。かかる縦軸２００には、縦軸２００に沿って、すなわち横軸１００に対して直交方向にスライド可能な内側爪部２１０が設けられている。また、この縦軸２００には、縦軸２００に沿ったスリット２２０が設けられている。
【００１３】
また、前記内側爪部２１０には、図１に示すように、縦軸２００に嵌まり込む溝２０２が設けられており、この溝２０２にって縦軸２００に沿ってスライドするようになっている。なお、図面中２０１は、内側爪部２１０を縦軸２００に対して固定するための固定ネジである。
【００１４】
一方、前記横軸１００には、第２の外側爪部１２０が取り付けられている。すなわち、この第２の外側爪部１２０は、前記縦軸２００を対称線として第１の外側爪部１１０の線対称の箇所に位置するようになっている。この第２の外側爪部１２０が第１の外側爪部１１０の線対称の箇所に位置させるのは、後述するパンタグラフ機構３００である。
【００１５】
この第２の外側爪部１２０は、図１に示すように、横軸１００に嵌まり込む溝１２２が設けられており、この溝１２２によって横軸１００に沿ってスライドするようになっている。なお、図面中１２１は、第２の外側爪１２０を横軸１００に対して固定するための固定ネジである。
【００１６】
前記パンタグラフ機構３００は、前記第１の外側爪部１１０の基端部と前記スリット２２０との間に設けられた第１の長アーム３１０と、前記第２の外側爪部１２０の基端部と前記スリット２２０との間に設けられた第２の長アーム３２０と、前記第１の長アーム３１０の中心点Ｏ３１０　と縦軸２００の下端部との間に設けられた第１の短アーム３３０と、前記第２の長アーム３２０の中心点Ｏ３２０　と縦軸２００の下端部との間に設けられた第２の短アーム３４０とを有している。
【００１７】
第１の長アーム３１０の一端は、連結された第１の外側爪部１１０の基端部において回動可能に取り付けられている。また、第２の長アーム３２０の一端は、連結された第２の外側爪部１２０の基端部において回動可能に取り付けられている。また、第１の長アーム３１０の他端と第２の長アーム３２０の他端とは、回動可能に連結されており、前記スリット２２０に沿って、すなわち縦軸２００に沿って移動可能になっている。
【００１８】
さらに、前記第１の短アーム３３０の一端は、第１の長アーム３１０の中心点Ｏ３１０　に回動可能に連結されている。また、前記第２の短アーム３４０の一端は、第２の長アーム３２０の中心点Ｏ３２０　に回動可能に連結されている。しかも、第１の短アーム３３０の他端と、第２の短アーム３４０の他端とは、縦軸２００の下端の同じ位置において回動可能に縦軸２００に連結されている。
【００１９】
従って、第１の外側爪部１１０と第２の外側爪部１２０とは、第２の外側爪部２１０を横軸１００に沿ってスライドさせても、常に縦軸２００を対称線とした線対称の箇所に位置する。このため、縦軸２００にスライド可能に取り付けられた内側爪部２１０は、常に、第１の外側爪部１１０と第２の外側爪部１２０との中央に位置することになる。
【００２０】
また、前記横軸１００には、図示しない目盛りが形成されており、第１の外側爪部１１０と縦軸２００との間の距離、第２の外側爪部１２０と縦軸００２との間の距離が計測できるようになっている。ここで、常に、縦軸２００が第１の外側爪部１１０と第２の外側爪部２１０との中央に位置するので、第１の外側爪部１１０と縦軸２００との間の距離と、第２の外側爪部１２０と縦軸２００との間の距離とは等しくなる。
【００２１】
さらに、縦軸００２には、図示しない目盛りが形成されており、内側爪部２１０が縦軸２００からどの程度突出したかを計測することができるようになっている。
【００２２】
次に、かかる半径測定具を用いた円弧Ｋの半径Ｒの測定について説明する。
まず、内側爪部２１０の先端を引いた状態にして、第１の外側爪部１１０の先端と第２の外側爪部１２０の先端とを円弧Ｋに接触させる。さらに、内側爪部２１０を縦軸２００に対してスライドさせて、内側爪部２１０の先端を円弧Ｋに接触させる。すると、円弧Ｋには、図４に示すように、第１の外側爪部１１０の先端と、第２の外側爪部１２０の先端と、内側爪部２１０の先端との３点が、それぞれ点Ａ、点Ｂ及び点Ｃに接触していることになる。
【００２３】
第１の外側爪部１１０と縦軸２００との間の距離は、横軸１００に付された目盛りから読み取ることができる。また、縦軸２００からの内側爪部２１０の突出量は、縦軸２００に付された目盛りから読み取ることができる。
【００２４】
ここで、第１の外側爪部１１０の先端と横軸１００との間の距離Ｘ１（図４参照）は、第１の外側爪部１１０が横軸１００に対して固定的に設けられているため、常にＸ１で一定である。従って、内側爪２１０の突出量がＸ２（図４参照）であると、内側爪部２１０が接した点Ｃを通過する半径Ｒと前記第１の線分Ｌ１との交点Ｍと内側爪部２１０が円弧Ｋに接した点との間を結ぶ第２の線分Ｌ２の長さｂは、Ｘ１−Ｘ２となる。ここで、Ｘ１は既知であり、Ｘ２は縦軸２００の目盛りから求められるから、前記第２の線分Ｌ２の長さｂを求めることができる。
【００２５】
また、前記第１の外側爪部１１０が円弧Ｋに接した点Ａと第２の外側爪部１２０が円弧Ｋに接した点Ｂとの間を結ぶ第１の線分Ｌ１の長さ２ａは、第１の外側爪部１１０と縦軸２００との間の距離の２倍に等しくなる。
【００２６】
従って、Ｒ＝（ａ２　＋ｂ２　）／２ｂの演算を行うことによって、円弧Ｋの半径Ｒを求めることができるようになっている。ここで、予めａ及びｂの値を縦軸及び横軸とし、半径Ｒを求めることができる換算表を設けておけば、前記演算を行う必要がない。
【００２７】
上述した半径測定具では、計測結果に基づいて使用者が演算して円弧の半径Ｒを求めるか、換算表を使用して求めるようになっていたが、図５に示す次の第２の実施の形態に係る半径測定具のようにすることも可能である。
この第２の実施の形態に係る半径測定具は、前記第１の線分Ｌ１の長さ２ａを求める第１のセンサ４１０と、第２の線分Ｌ２の長さｂとを求める第２のセンサ４２０と、前記第１のセンサ４１０及び第２のセンサ４２０の出力結果から、前記Ｒ＝（ａ２　＋ｂ２　）／２ｂの関係に従って半径Ｒを演算する演算部５００と、この演算部５００の演算結果を表示する表示部６００とを有している。
【００２８】
すなわち、この第２の実施の形態に係る半径測定具の基本的な機械的構成は、第１の実施の形態に係るものと同一であるが、前記第１の線分Ｌ１の長さ２ａと、第２の線分Ｌ２の長さｂとは、第１の実施の形態に係るもののように形成されている目盛りによって読み取るのではなく、前記センサ４１０、４２０によって計測するようになっているのである。
【００２９】
すなわち、前記第１のセンサ４１０は、前記第１の外側爪部１１０が円弧Ｋに接した点Ａと第２の外側爪部１２０が円弧Ｋに接した点Ｂとの間を結ぶ第１の線分Ｌ１の長さ２ａの長さを検出する。この第１のセンサ４１０は、横軸１００に沿ってスライド可能になった第２の外側爪部１２０の基端部に設けられており、第２の外側爪部１２０の初期位置である第２の外側爪部１２０が最も第１の外側爪部１１０に接近した位置から、第２の外側爪部１２０がどれだけスライドしたかを検出するものである。かかる第１のセンサ４１０には、例えばロータリエンコーダーが使用される。
【００３０】
かかる第１のセンサ４１０は、初期位置にある第２の外側爪部１２０と、第１の外側爪部１１０との間の直線距離に、第２の外側爪部１２０が横軸１００に沿ってスライドしたスライド量を加算して出力する。
【００３１】
一方、前記第２のセンサ４２０は、内側爪部２１０が接した点を通過する半径Ｒと前記第１の線分Ｌ１との交点Ｍと内側爪部２１０が円弧Ｋに接した点Ｃとの間を結ぶ第２の線分Ｌ２長さｂを検出する。この第２のセンサ４２０は、内側爪部２１０がスライド可能になった縦軸２００に設けられており、内側爪部２１０が縦軸２００からどれだけ突出したかを検出するものである。かかる第２のセンサ４２０には、例えばロータリエンコーダーが使用される。
【００３２】
第１の外側爪部１１０、第２の外側爪部１２０及び内側爪部２１０を同一平面上に接触させた状態で、第２のセンサ４２０をリセットしておき、この状態から測定すべき円弧Ｋに第１の外側爪部１１０、第２の外側爪部１２０及び内側爪部２１０を接触させると、内側爪部２１０が接した点Ｃを通過する半径Ｒと前記第１の線分Ｌ１との交点Ｍと内側爪部２１０が円弧Ｋに接した点との間を結ぶ第２の線分Ｌ２の長さｂが求められる。また、前記第１のセンサ４１０からは、第１の線分Ｌ１の長さ２ａが出力されている。
【００３３】
従って、演算部５００は、前記第１の線分Ｌ１の長さ２ａと、前記第２の線分Ｌ２の長さｂとから、前記式Ｒ＝（ａ２　＋ｂ２　）／２ｂを演算し、円弧Ｋの半径Ｒを算出する。
【００３４】
この演算部５００の演算結果、すなわちＲ＝（ａ２　＋ｂ２　）／２ｂは、例えば液晶表示パネルである表示部６００に表示される。なお、演算部５００は、表示部６００に内蔵されている。
【００３５】
また、この演算部５００は、円弧Ｋの半径Ｒだけではなく、直径２Ｒをも演算することができるようになっている。この半径Ｒと直径２Ｒとの演算は、表示部６００に設けられた切り換えスイッチ群６１０によって切り換えることができるようになっている。
【００３６】
さらに、この演算部５００は、複数の単位、例えばｃｍ、ｍｍ、ｍ、インチに対応しており、表示部６００に設けられた切り換えスイッチ群６１０によって切り換えることができるようになっている。
【００３７】
なお、前記リセットを行わなくても、前記第２のセンサ４２０、第１の外側爪部１１０及び第２の外側爪部１２０と横軸１００との間の距離Ｘ１と、内側爪部２１０の縦軸２００からの突出量Ｘ２との差分を出力するようにしてもよい。この場合、第１の外側爪部１１０の先端と横軸１００との間の距離Ｘ１は、半径測定具の寸法であり、第１の外側爪部１１０が横軸１００に対して固定的に設けられているため、常にＸ１で一定であり、既知である。従って、内側爪２１０の突出量がＸ２（図４参照）であると、内側爪部２１０が接した点Ｃを通過する半径Ｒと前記第１の線分Ｌ１との交点Ｍと内側爪部２１０が円弧Ｋに接した点との間を結ぶ第２の線分Ｌ２の長さｂは、Ｘ１−Ｘ２となる。ここで、Ｘ１は既知であり、Ｘ２は縦軸２００の目盛りから求められるから、前記第２の線分Ｌ２の長さｂを求めることができる。
【００３８】
この場合も、前記演算部５００には、前記第１のセンサ４１０からの第１の線分Ｌ１の長さ２ａと、前記第２のセンサ４２０からの第２の線分Ｌ２の長さｂとが入力されている。従って、この演算部５００においては、前記式Ｒ＝（ａ２　＋ｂ２　）／２ｂの演算を行うことにより、円弧Ｋの半径Ｒを演算することができる。
【００３９】
上述した実施の形態では、パイプ等の外径の円弧Ｋの半径Ｒ等を測定するものであったが、パイプ等の内径の円弧Ｋの半径Ｒ等を測定する場合には、半径測定具がパイプ等の内側に入り込まないので、そのままでは測定することができない。
【００４０】
この場合には、図７に示すように第１の外側爪部１１０、第２の外側爪部１２０及び内側爪部２１０にアタッチメント１１０Ａ、１２０Ａ、２１０Ａを取り付けて、各アタッチメント１１０Ａ、１２０Ａ、２１０Ａの先鋭化された先端がパイプ等の内径に接触するようにして計測する。この場合には、各アタッチメント１１０Ａ、２１０Ａ、２１０Ａは、第１の外側爪部１１０、第２の外側爪部１２０及び内側爪部２１０と同じ形状でそれぞれの先端は、平面視上、同じ位置にある。
【００４１】
なお、このアタッチメント１１０Ａ、１２０Ａ、２１０Ａは、第２の実施の形態に係る半径測定具に特有のものではなく、第１の実施の形態に係る半径測定具でも同様に用いることができる。
【００４２】
また、このアタッチメント１１０Ａ、１２０Ａ、２１０Ａは、第１の外側爪部１１０、第２の外側爪部１２０及び内側爪部２１０と同じ形状でそれぞれの先端は、平面視上、同じ位置になくても、演算部５００はリセットすることができるので、以下の条件を満たせばよい。
【００４３】
第１条件）第１の外側爪部１１０、第２の外側爪部１２０及び内側爪部２１０の各先端を結ぶ直線と、各アタッチメント１１０Ａ、１２０Ａ、２１０Ａの各先端を結ぶ直線とが平行であること。
第２条件）第１の外側爪部１１０と第２の外側爪部１２０との各先端を結ぶ直線と、アタッチメント１１０Ａ、１２０Ａの各先端を結ぶ直線とが平行であること。
第３条件）パンタグラフ機構３００の可動範囲を妨げない範囲で、アタッチメント１１０Ａ、１２０Ａの各先端を結ぶ直線を底辺とし、アタッチメント２１０Ａの先端を頂点とする三角形が二等辺三角形であること。
【００４４】
従って、この第１条件、第２条件及び第３条件のすべてを満たせば、図８に示すように、各アタッチメント１１０Ｂ、１２０Ｂ、２１０Ｂの各先端が、第１の外側爪部１１０、第２の外側爪部１２０及び内側爪部２１０の各先端より突出していてもよい。
【００４５】
また、図９に示すように、各先端が先鋭化されておらず、ある程度の幅のあり、かつ各先端が第１の外側爪部１１０、第２の外側爪部１２０及び内側爪部２１０の各先端より突出しているアタッチメント１１０Ｃ、１２０Ｃ、２１０Ｃを使用すると、電力ケーブルａ等の可撓性を有するものの曲率半径を測定することが可能になる（図１０参照）。
【００４６】
【発明の効果】
本発明に係る半径測定具は、横軸に固定された第１の外側爪部と、前記横軸に沿ってスライド可能な第２の外側爪部と、前記第１の外側爪部と第２の外側爪部との間に位置し、前記横軸に対して直交する縦軸に沿ってスライド可能な内側爪部と、前記縦軸と第１の外側爪部及び第２の外側爪部との間を連結し、内側爪部を常に第１の外側爪部と第２の外側爪部との中央に位置させるパンタグラフ機構とを備えており、半径を測定すべき円弧に前記第１の外側爪部及び第２の外側爪部を当接させた状態で、内側爪部を前記円弧に当接させた場合、前記第１の外側爪部が円弧に接した点と第２の外側爪部が円弧に接した点との間を結ぶ第１の線分の長さ２ａと、内側爪部が接した点を通過する半径と前記第１の線分との交点と内側爪部が円弧に接した点との間を結ぶ第２の線分の長さｂと、前記円弧の半径Ｒとの間では、Ｒ＝（ａ２　＋ｂ２　）／２ｂの関係が成立することから、円弧の半径Ｒを求める。
【００４７】
この半径測定具であると、第１の外側爪部と第２の外側爪部とは、パンタグラフ機構で連結されているので、両外側爪部の間の距離を自在に変更することができる。このため、大きな半径等にも小さな半径等にも対応することができるというメリットがある。
【００４８】
前記前記第１の外側爪部、前記第２の外側爪部及び前記内側爪部の先端はそれぞれ先鋭化されていると、円弧に点接触することになるので、半径等の正確な測定が可能になる。
【００４９】
また、本発明に係る他の半径測定具は、前記第１の線分の長さ２ａを求める第１のセンサと、第２の線分の長さｂとを求める第２のセンサと、前記第１のセンサ及び第２のセンサの出力結果から、前記Ｒ＝（ａ２　＋ｂ２　）／２ｂの関係に従って半径Ｒを演算する演算部と、この演算部の演算結果を表示する表示部とを備えている。
【００５０】
この半径測定具であると、半径等をデジタル表示することができるので測定が容易になるというメリットがある。
【００５１】
前記演算部が、２Ｒ＝（ａ２　＋ｂ２　）／ｂの演算をも行うことができるようになっていると、半径のみならず直径をも測定することができるので大変便利である。
【００５２】
前記第１の外側爪部、第２の外側爪部及び内側爪部には、パイプ等の内径を測定する際のアタッチメントが着脱可能になっているので、パイプ等の外径のみならず内径の半径等をも測定することができる。
【図面の簡単な説明】
【図１】本発明の第１の実施の形態に係る半径測定具の概略的正面図である。
【図２】本発明の第１の実施の形態に係る半径測定具の概略的背面図である。
【図３】本発明の第１の実施の形態に係る半径測定具による円弧の半径の計測原理の説明図である。
【図４】本発明の第１の実施の形態に係る半径測定具の使用状態を示す概略的正面図である。
【図５】本発明の第２の実施の形態に係る半径測定具の概略的正面図である。
【図６】本発明の実施の第２の形態に係る半径測定具の電気的構成を示す概略的ブロック図である。
【図７】本発明の第２の実施の形態に係る半径測定具にアタッチメントを取り付けた状態の概略的斜視図である。
【図８】本発明の第２の実施の形態に係る半径測定具に他のアタッチメントを取り付けた状態の概略的斜視図である。
【図９】本発明の第２の実施の形態に係る半径測定具にさらに他のアタッチメントを取り付けた状態の概略的斜視図である。
【図１０】本発明の第２の実施の形態に係る半径測定具にさらに他のアタッチメントを取り付けた場合の使用方法を示す概略的斜視図である。
【符号の説明】
１００　　横軸
１１０　　第１の外側爪部
１２０　　第２の外側爪部
２００　　縦軸
２１０　　内側爪部
３００　　パンタグラフ機構
【図１】
2004138388.tif 000003
【図２】
2004138388.tif 000004
【図３】
2004138388.tif 000005
【図４】
2004138388.tif 000006
【図５】
2004138388.tif 000007
【図６】
2004138388.tif 000008
【図７】
2004138388.tif 000009
【図８】
2004138388.tif 000010
【図９】
2004138388.tif 000011
【図１０】
2004138388.tif 000012